(57)【要約】【課題】無線媒体とこの無線媒体の情報を読み取るリーダとにデータを書き込む上位装置を設けずに、入退室管理の照合を可能とする。【解決手段】無線媒体処理装置２が、オンライン型又はスタンドアロン型に切り替えるスイッチ部２１と、書き替え不能なＵＩＤを書き込まれた無線媒体１からこのＵＩＤを無線信号によって受信する受信部１１と、データを記憶する記憶部８と、ＵＩＤの登録を行う設定モードと照合を行う通常モードとのいずれかに無線媒体処理装置２の動作モードを切り替える動作モード切替え部２０と、登録モードでは受信ＵＩＤを記憶部８に記憶させるとともにこのＵＩＤに登録番号を付与してＵＩＤと登録番号とを対応づけたデータを記憶部８に記憶させ、通常モードでは受信ＵＩＤと登録モードにおいて記憶部８に記憶させたＵＩＤとを照合する制御部９とを備える。【選択図】図３
2008217454.tif 000002
【特許請求の範囲】
【請求項１】
個体を識別する書き替え不能な個体識別情報を書き込まれた無線媒体からこの個体識別情報を無線信号によって受信する受信部と、
データを記憶する記憶部と、
設定モードでは前記受信部にて受信された個体識別情報を前記記憶部に記憶させるとともにこの個体識別情報に登録番号を付与して前記個体識別情報と前記登録番号とを対応づけたデータを前記記憶部に記憶させ、通常モードでは前記受信部にて受信された個体識別情報と前記設定モードにおいて前記記憶部に記憶させた個体識別情報とを照合する制御部と、を備えたことを特徴とする無線媒体処理装置。
【請求項２】
無線媒体処理装置の使用状態を、当該無線媒体処理装置が管理ホストと連携して動作するオンライン型の使用状態と、当該無線媒体処理装置が前記管理ホストから独立して動作するスタンドアロン型の使用状態とのうちのいずれかに切り替えるスイッチ部と、
個体を識別する書き替え不能な個体識別情報を書き込まれた無線媒体からこの個体識別情報を無線信号によって受信する受信部と、
データを記憶する記憶部と、
前記オンライン型の使用状態時又は前記スタンドアロン型の使用状態時に個体識別番号の登録を行う設定モードと、前記オンライン型の使用状態時又は前記スタンドアロン型の使用状態時に個体識別番号を用いた照合を行う通常モードとのいずれかに当該無線媒体処理装置の動作モードを切り替える動作モード切替え部と、
前記設定モードでは前記受信部にて受信された個体識別情報を前記記憶部に記憶させるとともにこの個体識別情報に登録番号を付与して前記個体識別情報と前記登録番号とを対応づけたデータを前記記憶部に記憶させ、前記通常モードでは前記受信部にて受信された個体識別情報と前記設定モードにおいて前記記憶部に記憶させた個体識別情報とを照合する制御部と、を備えたことを特徴とする無線媒体処理装置。
【請求項３】
パスワード情報を記憶するパスワード情報記憶部と、
データを入力する入力部と、
前記入力部により入力されたパスワードと前記パスワード情報記憶部に記憶されたパスワード情報とに基づいて、当該無線媒体処理装置へのコマンドの入力の可否を判定するコマンド入力可否判定部とをさらに備えたことを特徴とする請求項２記載の無線媒体処理装置。
【請求項４】
前記動作モード切替え部が、前記動作モードを前記設定モードに切り替えた場合には、
前記制御部は、複数の個体識別情報を前記記憶部に記憶させることを特徴とする請求項２記載の無線媒体処理装置。
【請求項５】
前記制御部は、前記複数の個体識別情報を個別に削除可能であることを特徴とする請求項４記載の無線媒体処理装置。
【請求項６】
個体識別情報を登録するコマンドを出力可能な外部機器との間でデータのインターフェース処理を行う外部インターフェース処理部をさらに備えたことを特徴とする請求項２記載の無線媒体処理装置。
【請求項７】
無線媒体処理装置の使用状態を、当該無線媒体処理装置が管理ホストと連携して動作するオンライン型の使用状態と、当該無線媒体処理装置が前記管理ホストから独立して動作するスタンドアロン型の使用状態とのうちのいずれかに選択する使用状態選択部が、前記オンライン型又は前記スタンドアロン型のいずれかの使用状態に選択し、
前記オンライン型の使用状態時又は前記スタンドアロン型の使用状態時に個体識別番号の登録を行う設定モードと、前記オンライン型の使用状態時又は前記スタンドアロン型の使用状態時に個体識別番号を用いた照合を行う通常モードとのいずれかに当該無線媒体処理装置の動作モードを切り替える動作モード切替え部が、前記動作モードを設定モードに切替えるステップと、
無線信号を受信する受信部が、個体を識別する書き替え不能な個体識別情報を書き込まれた無線媒体からこの個体識別情報を含む無線信号を受信するステップと、
データを記憶する記憶部に対してデータの読み書きを制御する制御部が、受信された前記個体識別情報を前記記憶部に登録するステップと、
前記制御部が、受信された前記個体識別情報とこの個体識別情報に付与された登録番号とを対応づけたデータを前記記憶部に記憶させるステップと、
前記動作モード切替え部が、前記動作モードを通常モードに切替えるステップと、
前記受信部が、前記無線媒体から前記無線信号を受信するステップと、
前記制御部が、前記通常モードにおいて受信された個体識別情報と前記設定モードにおいて前記記憶部に記憶させた個体識別情報とを照合し、両方の個体識別情報が一致した場合には一致信号を出力するステップと、を備えたことを特徴とする無線媒体処理装置に用いられるデータの照合方法。
【発明の詳細な説明】
【技術分野】
【０００１】
本発明は、ＲＦＩＤ（Radio Frequency Identification）カードを利用した入退室管理システムに用いて好適な、無線媒体処理装置及びこの無線媒体処理装置に用いられるデータの照合方法に関する。
【背景技術】
【０００２】
図１２は従来の入退室管理システムの一例を示す図である。この入退室管理システムは、入室の条件が登録された上位装置である管理ホスト（管理用ホストコンピュータ）５０と、ＲＦＩＤカードの情報を読み取るリーダ５１や電気錠５２を制御して検定を行うコントローラ５３とを有する。コントローラ５３は、このリーダ５１内に登録されたデータと読み取りしたＲＦＩＤカードのデータとを照合することによって電気錠５２を解錠する。これによって入退室管理が行われる。
【０００３】
入退室管理に用いられるＲＦＩＤカードがＩＳＯ規格に準拠したものである場合、ＲＦＩＤカードにはＵＩＤ（Unique ID）が書き込まれている。ＲＦＩＤカードにはユーザが読み取りを行えるデータ領域（以下、ユーザエリアと呼ぶ）もある。リーダ５１には、ＲＦＩＤカードのユーザエリアの個人識別情報と同じ個人識別情報が予め書き込まれる。書き込みを行う場合、リーダ５１と管理ホスト５０とを接続し、管理ホスト５０がリーダ５１に個人識別情報を書き込む。あるいは、管理ホスト５０は、ＬＡＮなどのネットワークを介してリーダ５１に個人識別情報を書き込む。
【０００４】
また、事業所、例えば会社において、入退室管理システムがリーダ５１を管理ホスト５０に容易に接続できない環境である場合、リーダ５１にその会社に固有な共通コードを予め直接書き込んでおき、リーダ５１はこの共通コードとＲＦＩＤカードのユーザエリアに書き込まれた会社の共通コードとを用いて検定を行う。
【０００５】
入退室管理に関する従来技術としては、固有のデータが登録されたデータキャリアとの間で非接触のデータ通信を行う通信手段、データが登録される登録手段、通常動作モードでは通信手段によりデータキャリアから受け取ったデータと登録手段に登録されているデータとの一致・不一致を判定するとともに登録モードでは通信手段によりデータキャリアから受け取ったデータを登録手段に登録し且つ抹消モードでは登録手段に登録されているデータを抹消する制御手段を具備する主装置と、主装置の制御手段を登録モード並びに抹消モードに設定するためのデータを非接触のデータ通信により主装置に送信する登録・抹消用データキャリアとを備え、主装置の制御手段は、登録・抹消用データキャリアから送信されるデータを通信手段が受信している時間に応じて登録モードと抹消モードとを切り換える非接触ＩＤシステムが提案されている（特許文献１参照）。
【特許文献１】特開２０００−３５７２１２号公報
【発明の開示】
【発明が解決しようとする課題】
【０００６】
しかしながら、上述した従来技術では、リーダ５０のほかに、ＲＦＩＤカードヘデータを書き込むためのライタや、リーダ５０内にデータを書き込むための管理ホスト５０といった上位装置、及び上位装置への接続用のＬＡＮが必要となり、入退室管理システムが複雑化し、手間がかかるといった欠点がある。
【０００７】
また、リーダ５０に容易に上位装置等を接続できない場合には、ＲＦＩＤカード内に書き込まれた会社の共通コード等を用いて検定する。このため、リーダ５０に直接書き込まれたコードを用いて照合を行う方式は、ＲＦＩＤカードの個人識別情報とリーダ５０の個人識別情報とを照合する方式に比べてセキュリティが低いという不具合もある。
【０００８】
そこで本発明は、上記の課題に鑑み、ＲＦＩＤカードといった無線媒体とこの無線媒体の情報を読み取るリーダとにデータを書き込む上位装置を設けずに、入退室管理の照合が可能な無線媒体処理装置及び無線媒体処理装置に用いられるデータの照合方法を提供することを目的とする。
【課題を解決するための手段】
【０００９】
このような課題を解決するため、本発明の一態様によれば、個体を識別する書き替え不能な個体識別情報を書き込まれた無線媒体からこの個体識別情報を無線信号によって受信する受信部と、データを記憶する記憶部と、設定モードでは前記受信部にて受信された個体識別情報を前記記憶部に記憶させるとともにこの個体識別情報に登録番号を付与して前記個体識別情報と前記登録番号とを対応づけたデータを前記記憶部に記憶させ、通常モードでは前記受信部にて受信された個体識別情報と前記設定モードにおいて前記記憶部に記憶させた個体識別情報とを照合する制御部と、を備えたことを特徴とする無線媒体処理装置が提供される。
【００１０】
また、本発明の別の一態様によれば、無線媒体処理装置の使用状態を、当該無線媒体処理装置が管理ホストと連携して動作するオンライン型の使用状態と、当該無線媒体処理装置が前記管理ホストから独立して動作するスタンドアロン型の使用状態とのうちのいずれかに切り替えるスイッチ部と、個体を識別する書き替え不能な個体識別情報を書き込まれた無線媒体からこの個体識別情報を無線信号によって受信する受信部と、データを記憶する記憶部と、前記オンライン型の使用状態時又は前記スタンドアロン型の使用状態時に個体識別番号の登録を行う設定モードと、前記オンライン型の使用状態時又は前記スタンドアロン型の使用状態時に個体識別番号を用いた照合を行う通常モードとのいずれかに当該無線媒体処理装置の動作モードを切り替える動作モード切替え部と、前記設定モードでは前記受信部にて受信された個体識別情報を前記記憶部に記憶させるとともにこの個体識別情報に登録番号を付与して前記個体識別情報と前記登録番号とを対応づけたデータを前記記憶部に記憶させ、前記通常モードでは前記受信部にて受信された個体識別情報と前記設定モードにおいて前記記憶部に記憶させた個体識別情報とを照合する制御部と、を備えたことを特徴とする無線媒体処理装置が提供される。
【００１１】
また、本発明の別の一態様によれば、無線媒体処理装置の使用状態を、オンライン型の使用状態とスタンドアロン型の使用状態とのうちのいずれかに選択する使用状態選択部が、前記オンライン型又は前記スタンドアロン型のいずれかの使用状態に選択し、前記オンライン型の使用状態時又は前記スタンドアロン型の使用状態時に個体識別番号の登録を行う設定モードと、前記オンライン型の使用状態時又は前記スタンドアロン型の使用状態時に個体識別番号を用いた照合を行う通常モードとのいずれかに当該無線媒体処理装置の動作モードを切り替える動作モード切替え部が、前記動作モードを設定モードに切替えるステップと、無線信号を受信する受信部が、個体を識別する書き替え不能な個体識別情報を書き込まれた無線媒体からこの個体識別情報を含む無線信号を受信するステップと、データを記憶する記憶部に対してデータの読み書きを制御する制御部が、受信された前記個体識別情報を前記記憶部に登録するステップと、前記制御部が、受信された前記個体識別情報とこの個体識別情報に付与された登録番号とを対応づけたデータを前記記憶部に記憶させるステップと、前記動作モード切替え部が、前記動作モードを通常モードに切替えるステップと、前記受信部が、前記無線媒体から前記無線信号を受信するステップと、前記制御部が、前記通常モードにおいて受信された個体識別情報と前記設定モードにおいて前記記憶部に記憶させた個体識別情報とを照合し、両方の個体識別情報が一致した場合には一致信号を出力するステップと、を備えたことを特徴とする無線媒体処理装置に用いられるデータの照合方法が提供される。
【発明の効果】
【００１２】
本発明によれば、予め無線媒体のデータ領域及び、無線媒体処理装置内に個人識別情報を書き込まなくても、無線媒体の個体識別情報を個人識別情報として機能させることができ、この個体識別情報を照合することによって検定を行うことができる。
【発明を実施するための最良の形態】
【００１３】
以下、無線媒体としてＲＦＩＤカードを用いる場合の本発明の実施の形態に係る無線媒体処理装置及び無線媒体処理装置に用いられるデータの照合方法について、図面を参照しながら説明する。尚、各図において同一箇所については同一の符号を付すとともに、重複した説明は省略する。
【００１４】
本発明の一実施形態に係る無線媒体処理装置は、入退室管理システムにおけるＲＦＩＤカードのリーダに用いられる。本実施形態に係るリーダは、当該リーダが管理ホストと連携して動作するオンライン型の使用状態と、当該リーダが管理ホストから独立して動作するスタンドアロン型の使用状態とのうちのいずれかに設定されてから使用される。オンライン型又はスタンドアロン型の切り替えは、リーダに取り付けられたスイッチを用いて管理者が予め行う。リーダがオンライン型で使用される場合には、リーダにＬＡＮを介して上位装置が接続されて、リーダはネットワークに接続された機器の一つとして使用される。リーダがスタンドアロン型で使用される場合には、リーダは１つの扉について入退室を管理する単体の装置として使用される。また、本実施形態に係るリーダは、これらのスタンドアロン型及びオンライン型のいずれの状態で使用される場合も、照合を行う通常モードと、ＲＦＩＤカードの情報の登録や削除を行うモード（設定モード）との両方の動作モードで動作可能である。
【００１５】
（１）装置構成
本実施形態に係る入退室管理システムは、図１に示すように、ＲＦＩＤカード１の情報を読み取る入退室リーダ装置であるリーダ２と、入退室管理の対象となる部屋やフロアの通用口の扉３に設けられてこのリーダ２からの電気信号によって扉３の施錠あるいは解錠を行う電気錠４とを備える。
【００１６】
ＲＦＩＤカード１には、アンテナコイルと、ＲＦＩＤカード１を識別する個体識別情報が書き込まれたメモリと、アンテナコイルに誘起される起電力によってこのメモリ内の個体識別情報を読み出して、読み出した個体識別情報をアンテナコイルを介してリーダ２へ送信可能なロジック回路とが設けられている。本実施形態に係るリーダ２の照合にはＵＩＤが個体識別情報として用いられる。このＵＩＤはＲＦＩＤカード１が製造されるときに個々のＲＦＩＤカード１に書き込まれる。このＵＩＤは例えば数１０ビットの長さをもち、製造時に書き込まれた後は書き替え不可能である。ＲＦＩＤカード１にはユーザが読み取りを許可されたメモリ領域（ユーザエリア）が設けられている。
【００１７】
図２は本発明の一実施形態に係るリーダ２の正面図である。リーダ２は、ＲＦＩＤカード１との間で無線信号を用いて非接触のデータ通信を行ってＲＦＩＤカード１のＵＩＤを読み取るカード情報読取り部５と、０から９までの数字キーやファンクションキーなどを有するテンキー６と、カード情報読取り部５による照合の結果やテンキー６から入力された内容などを表示する表示器７とを備える。表示器７には、７セグメント表示を行えるＬＥＤや液晶表示器が用いられる。
【００１８】
これにより、扉３を開閉して入退室しようとする人がＲＦＩＤカード１をカード情報読取り部５にかざすと、カード情報読取り部５からの電磁波によって誘起された起電力を用いてこのＲＦＩＤカード１のＵＩＤが読み出され、この起電力を用いて読み出されたＵＩＤがリーダ２へ送信される。
【００１９】
図３は本発明の一実施形態に係るリーダ２の機能ブロック図である。リーダ２は、扉３の施錠及び解錠を可能とする１又は複数のＲＦＩＤカード１のＵＩＤ及び後述する登録番号（又は整理番号）やコマンドなどが記憶された記憶部８と、テンキー６に入力されたデータの判定や、ＲＦＩＤカード１との無線信号の送受信、表示器７へのデータの出力、及び記憶部８のデータの読み書きを行う制御部９と、制御部９を介して記憶部８に記憶された情報を変調して変調信号をアンテナコイル１０からＲＦＩＤカード１へ送信するとともに、ＲＦＩＤカード１からの無線信号をアンテナコイル１０から受信して復調するＲＦ信号送受信部１１とを備える。また、リーダ２にはパネル部１２が設けられている。パネル部１２は、テンキー６、アンテナコイル１０、表示器７、及び不図示の警告ブザーを有する。
【００２０】
記憶部８は、データ記憶部１３、コマンド記憶部１４、パスワード記憶部（パスワード情報記憶部）１５を有する。データ記憶部１３はＲＦＩＤカード１のＵＩＤを記憶する。表示器７における照合結果の表示を簡略化するために、本実施形態に係るリーダ２は、４桁の登録番号を各ＵＩＤに対応させて記憶するようにしている。複数のＵＩＤをリーダ２が登録するときには、リーダ２は各ＵＩＤに対してそれぞれ００００〜９９９９の間の番号をもつ登録番号を付与する。制御部９は、これらのＵＩＤと登録番号とが対応づけられたデータをもデータ記憶部１３に記憶する。なお、データ記憶部１３には、ＲＦＩＤカード１から受信したＵＩＤが有効であるか否かを検定するためのデータも記憶される。
【００２１】
コマンド記憶部１４は、テンキー６から入力される数字、数字列、ファンクション、複数のファンクションの列、あるいはこれらの数字やファンクション等の組み合わせと、数字やファンクションなどによって表されるコマンドとの対応関係を記憶する。制御部９が、入力された数字やエンタないしはリターン等のファンクションについてこのコマンド記憶部１４の対応関係を参照することによって、施錠あるいは解錠や、データの登録、追加あるいは削除などを指令するコマンドが解釈される。
【００２２】
パスワード記憶部１５は、テンキー６を用いて管理者又は権限を有するユーザがコマンドを入力するために求められるパスワードを記憶する。このパスワード記憶部１５には、設定モードでのコマンド入力を受け付けるかどうかを判定するための別のパスワードも記憶される。データ記憶部１３、コマンド記憶部１４及びパスワード記憶部１５には、ＲＡＭやＲＯＭなどの記憶装置が用いられる。
【００２３】
制御部９は、ＲＦ信号送受信部１１からの受信信号の復調と復号とを行う復調・復号（復調及び復号）部１６と、送信データの変調と符号化とを行う変調・符号化（変調及び符号化）部１７と、データ記憶部１３に記憶されたＵＩＤとＲＦＩＤカード１からのＵＩＤとを照合するデータ照合部１８と、表示器７の表示内容を制御する表示制御部１９と、リーダ２の動作モードを通常モード及び設定モードのうちのいずれかに切り替えるモード切替部（動作モード切替え部）２０とを備える。通常モードにおいて、これらの復調・復号部１６、変調・符号化部１７、データ照合部１８、表示制御部１９及びモード切替部２０が協働することによって、ＲＦＩＤカード１の照合処理が行われる。
【００２４】
また、ＵＩＤの登録や追加、登録された複数のＵＩＤのうちの所望のＵＩＤの個別削除、登録された全てのＵＩＤの削除、及び登録されたＵＩＤの情報収集などをユーザが行う場合、ユーザは、リーダ２の動作モードを設定モードにして、これらの作業を行う。ＵＩＤの登録や削除などの作業が完了すると、ユーザは、リーダ２の動作モードを、ＲＦＩＤカード１の照合を行う通常モードにする。
【００２５】
ＲＦ信号送受信部１１及び復調・復号部１６によって、ＵＩＤを書き込まれたＲＦＩＤカード１からこのＵＩＤを無線信号によって受信する受信部の機能が実現する。
【００２６】
更に制御部９は、スイッチ２１、使用状態判定部２２、及びパスワード判定部２３を備える。スイッチ２１はリーダ２の使用状態ないしは使用態様を、オンライン型の使用状態とスタンドアロン型の使用状態とのうちのいずれかに切り替えるスイッチ部である。スイッチ２１には、ハードウェアスイッチが用いられる。このハードウェアスイッチはリーダ２の筐体に取り付けられる。使用状態判定部２２は、スイッチ２１の位置を検知しあるいはスイッチ２１の値を読み込むことによって、リーダ２をオンライン型及びスタンドアロン型のうちのいずれかの状態で使用させるかを判定するものである。パスワード判定部２３は、テンキー６により入力されたパスワードとパスワード記憶部８に記憶されたパスワード情報とに基づいて、リーダ２へのコマンドの入力の可否を判定するコマンド入力可否判定部である。スイッチ２１以外の制御部９の各ユニットの機能は、ＣＰＵ（中央演算装置）、ＲＯＭ、ＲＡＭ及びＬＳＩなどによって実現される。
【００２７】
なお、本実施形態に係るリーダ２は、ＵＩＤの登録、追加又は削除の操作のコマンドを入出力可能な図示しない外部機器とのインターフェース処理を行う外部機器接続部２４と、この外部機器接続部２４を介して外部機器との間でデータ記憶部１３に記憶された登録番号やＵＩＤなどのデータを送受信する送信／受信（送信及び受信）処理部２５とを備えてもよい。外部機器接続部２４と送信／受信処理部２５とによって、個体識別情報を登録するコマンドを出力可能な外部機器との間でデータのインターフェース処理を行う外部インターフェース処理部の機能が実現する。これらの外部機器接続部２４及び送信／受信処理部２５を設けることにより、リーダ２は、外部機器と通信可能な状態において、設定モードで動作することができる。
【００２８】
また、本発明のデータ照合方法は、使用状態判定部２２がスイッチ２１の位置あるいはスイッチ２１の値といった切替え情報に基づいて、リーダ２の使用状態を、オンライン型又はスタンドアロン型のいずれかの使用状態に選択し、動作モード切替部２０が動作モードを設定モードに切替えし、復調・複合部１６がＵＩＤを書き込まれたＲＦＩＤカード１からこのＵＩＤを含む無線信号を受信し、制御部９が受信されたＵＩＤをデータ記憶部１３に登録し、制御部９が受信されたＵＩＤとこのＵＩＤに付与された登録番号とを対応づけたデータをデータ記憶部１３に記憶させて、モード切替部２０がリーダ２の動作モードを通常モードに切替えて、復調・複合部１６がＲＦＩＤカード１から無線信号を受信し、制御部９が通常モードにおいて受信されたＵＩＤと登録モードにおいてデータ記憶部１３に記憶させたＵＩＤとを照合し、両方のＵＩＤが一致した場合には一致信号を出力する。本発明のデータ照合方法によれば、コントローラとリーダとが１つにされているので、ＬＡＮによるネットワークを構築する必要がない。
【００２９】
このような構成のリーダ２の利用方法について述べる。
【００３０】
（２）リーダ２がスタンドアロン型で使用される状態
（２−１）通常モード
図４は本発明の一実施形態に係るリーダ２のデータ照合方法を説明するためのフローチャートである。通常モードにおいてリーダ２は、ＲＦＩＤカード１へコマンドを送信し（ステップＡ１）、ＲＦＩＤカード１より応答があるかどうかを監視する（ステップＡ２）。ＲＦＩＤカード１からの応答がない間は、ステップＡ２のＮＯルートを通り、リーダ２はステップＡ１の処理を行う。ＲＦＩＤカード１からの応答信号をリーダ２が受信すると、ステップＡ２のＹＥＳルートを通り、リーダ２は応答信号に含まれるＵＩＤデータを取得する（ステップＡ３）。
【００３１】
引き続き、リーダ２は、ＵＩＤ検定を行い、有効か否かを判定する（ステップＡ４）。リーダ２は、ＵＩＤ検定が有効であると判定した場合には、ＹＥＳルートを通り、そのＵＩＤと同じＵＩＤがデータ記憶部１３に記憶されているか否かを判定する（ステップＡ５）。ステップＡ５においてＵＩＤが登録されているとリーダ２が判定した場合には、ＹＥＳルートを通り、リーダ２は、ＲＦＩＤカード１のデータ部ないしはユーザエリアについての検定が不要か否かを判定する（ステップＡ６）。ステップＡ６の検定が不要とリーダ２が判定した場合には、リーダ２は検定が合格であると判定し、ＹＥＳルートを通り、リーダ２は検定合格の表示とこの表示に必要な処理動作とを行う（ステップＡ７）。リーダ２は通常動作を行う。
【００３２】
また、ステップＡ４において、リーダ２がＵＩＤ検定が有効ではないと判定した場合には、ＮＯルートを通り、リーダ２は、取得したＵＩＤを指定してＲＦＩＤカード１のデータ部を読み取る旨の指令を行う（ステップＡ８）。リーダ２は、このデータ部の各種データについての照合かＯＫないしは成立か否かを判定し（ステップＡ９）、照合がＯＫである場合には、ＹＥＳルートを通り、リーダ２はステップＡ７の処理を行い、照合がＯＫではない場合には、ＮＯルートを通り、リーダ２は不合格の表示とこの表示に必要な処理動作とを行う（ステップＡ１０）。不合格の表示などの処理は、ステップＡ５の処理において、ＵＩＤがデータ記憶部１３に登録されていないとリーダ２が判定した場合にも行われる（ステップＡ１１）。また、ステップＡ６の処理において、データ部の検定が必要とリーダ２が判定した場合には、ＮＯルートを通り、リーダ２は、取得したＵＩＤを指定してＲＦＩＤカード１のデータ部を読み取る旨の指令を行って（ステップＡ１２）、ステップＡ９の処理を行う。
【００３３】
従って、リーダ２が登録したＲＦＩＤカード１を操作者がアンテナコイル１０にかざすと、照合がＯＫとなり、そのＲＦＩＤカード１の登録番号が表示器７によって表示され、電気錠の解錠等が行われる。
【００３４】
このように、リーダ２は、スタンドアロン型で使用されるため、上位装置において必要な例えば従業員情報の登録作業といったメンテナンスが不要なため、管理が容易となる。
【００３５】
（２−２）設定モード
図５は本発明の一実施形態に係るリーダ２を設定モードで動作させる操作を説明するためのフローチャートである。ユーザがテンキー６を用いてリーダ２を設定モードにするためのパスワードを入力すると（ステップＢ１）、制御部９は、設定モードでのコマンド入力を受け付けるかどうかを、リーダ２の内部又は外部に設けられたスイッチの設定内容を読み込むことにより判定する（ステップＢ２）。ステップＢ２において、スイッチの設定内容によりコマンド入力を受け付けない、すなわちコマンド入力が有効でないと制御部９が判定した場合には、ＮＯルートを通り、制御部９は入力されたパスワードを無視する（ステップＢ３）。ステップＢ２において、スイッチの設定内容によりコマンド入力を受け付けると制御部９が判定した場合には、ＹＥＳルートを通り、モード切替部２０は入力されたパスワードがパスワード記憶部１５に記憶されたパスワードと一致しているかどうかを判定する（ステップＢ４）。
【００３６】
ステップＢ４において、パスワードが一致したとモード切替部２０が判定した場合には、ＹＥＳルートを通り、モード切替部２０はリーダ２の状態を設定モードに移行させる（ステップＢ５）。この設定モードでは、リーダ２は以下に述べるいずれかの種別のコマンドの入力を待つ状態になる。この待機の状態においてモード切替部２０はコマンド記憶部１４に記憶されたコマンドデータを参照し、この参照によって、モード切替部２０は、登録モード、個別削除モード、全件削除モード、登録データ吸上げモード（登録データ収集モード）、パスワード変更モード、又はこれらのモードとは別のモードのいずれかであるかを判定する（ステップＢ６からステップＢ１１）。
【００３７】
なお、ステップＢ４において、パスワードが一致しないとモード切替部２０が判定した場合には、ＮＯルートを通り、モード切替部２０は３回連続して一致していないかどうかを判定する（ステップＢ１２）。ステップＢ１２において、３回連続してパスワードが一致しなかった場合にはＮＯルートを通り、モード切替部２０はパスワードの再入力を待つ状態に移る（ステップＢ１３）。ステップＢ１２において、３回連続してパスワードが一致しなかった場合にはＹＥＳルートを通り、制御部９は警告ブザーやテンキー６に警告の動作を行わせる。制御部９は、例えば警告ブザーを３０秒間鳴動させたり、テンキー６へ入力されるコマンド操作を３０秒間無効にする（ステップＢ１４）。モード切替部２０はパスワードの再入力の待機状態に移る（ステップＢ１５）。
【００３８】
図６は本発明の一実施形態に係るリーダ２の登録モードでの処理を説明するためのフローチャートである。モード切替部２０が登録モードであると判定した場合には、表示器７はモード表示を行う（ステップＣ１）。ユーザがリーダ２に対してＲＦＩＤカード１をかざすと（ステップＣ２）、制御部９はＲＦＩＤカード１からのＵＩＤを含む変調データを受信し（ステップＣ３）、受信したデータに基づいてデータ記憶部１３のデータを検索する（ステップＣ４）。制御部９は受信したＵＩＤについて、そのＵＩＤを送信したＲＦＩＤカード１が登録可能であるかどうかを判定し（ステップＣ５）、ＲＦＩＤカード１が登録可能でない場合には、ＮＯルートを通り、表示器７はエラー表示を行う（ステップＣ６）。
【００３９】
ステップＣ５において、ＲＦＩＤカード１が登録可能である場合には、ＹＥＳルートを通り、表示器７は、読み出された登録番号を表示する（ステップＣ７）。ユーザがこの登録番号についてテンキー６のエンタキーを押下すると（ステップＣ８）、制御部９は登録処理を行う（ステップＣ９）。制御部９は登録が完了したかどうかを判定し（ステップＣ１０）、登録が完了していないと判定した場合には「異常」と付されたルートを通り、表示器７はエラー表示を行う（ステップＣ１１）。ステップＣ１０において、制御部９は登録が完了したと判定した場合には「正常」と付されたルートを通り、表示器７は登録番号の消灯を行う（ステップＣ１２）。
【００４０】
ユーザは、登録操作を終えるかどうかを判断して（ステップＣ１３）、登録操作を終了させない場合、例えば複数のＵＩＤを登録する場合などには、ＮＯルートを通り、再度ＲＦＩＤカード１をリーダ２にかざす（ステップＣ２）。ステップＣ１３においてユーザが登録操作を終了させる場合には、ＹＥＳルートを通り、ユーザはテンキー６を用いて終了コマンドを入力し（ステップＣ１４）、これにより、設定モードが終了する（ステップＣ１５）。
【００４１】
なお、リーダ２が登録モード中である間は、何枚ものＲＦＩＤカード１を登録することができるが、リーダ２は登録済みのＲＦＩＤカード１の重複登録はしない。
【００４２】
図７は本発明の一実施形態に係るリーダ２の個別削除モードでの処理を説明するためのフローチャートである。モード切替部２０が個別削除モードであると判定した場合には、表示器７はモード表示を行う（ステップＤ１）。ユーザがテンキー６から登録番号を入力すると（ステップＤ２）、制御部９は入力された登録番号データをデータ記憶部１３の中から検索する（ステップＤ３）。制御部９はこの登録番号データの有無の判定を行い（ステップＤ４）、登録番号データがデータ記憶部１３にないと判定した場合には「登録無」と付されたルートを通り、表示器７はエラー表示を行う（ステップＤ５）。ステップＤ４において、登録番号データがデータ記憶部１３にあると制御部９が判定した場合には、「登録有」と付されたルートを通り、制御部９はデータ記憶部１３からその登録番号データを削除する（ステップＤ６）。表示器７は削除完了の表示を行う（ステップＤ７）。
【００４３】
ユーザは、個別削除操作を終えるかどうかを判断して（ステップＤ８）、この操作を続ける場合には、ＮＯルートを通り、別の登録番号をテンキー６によりリーダ２へ入力する（ステップＤ２）。ステップＤ８においてユーザが個別削除操作を終了する場合には、ＹＥＳルートを通り、ユーザはテンキー６を用いて終了コマンドを入力し（ステップＤ９）、これにより設定モードが終了する（ステップＤ１０）。制御部９は、ＵＩＤと登録番号とを対応づけたデータを記憶部８から削除する。
【００４４】
個別削除モードにおける処理が終了した後に、リーダ２が通常モードで動作する場合には、個別削除モードにおいて削除された登録番号のＲＦＩＤカード１をユーザがアンテナコイル１０にかざしても、照合ＮＧとなり、リーダ２は電気錠４の解錠を行わない。従って、セキュリティが保たれる。
【００４５】
図８は本発明の一実施形態に係るリーダ２の全件削除モードでの処理を説明するためのフローチャートである。モード切替部２０が全件削除モードであると判定した場合には、表示器７はモード表示を行う（ステップＥ１）。ユーザがテンキー６から全件削除コードを入力すると（ステップＥ２）、制御部９は入力された全件削除コードが正しいかどうかを判定する（ステップＥ３）。制御部９は入力されたコードが正しくないと判定した場合にはＮＯルートを通り、表示器７はエラー表示を行う（ステップＥ４）。ステップＥ３において、入力されたコードが正しいと制御部９が判定した場合には、ＹＥＳルートを通り、表示器７は正常であることを表示する（ステップＥ５）。ユーザがこの表示についてテンキー６のエンタキーを押下すると（ステップＥ６）、制御部９は全件削除処理を行い（ステップＥ７）、処理が完了すると表示器７は全件削除処理が完了したことを表示する（ステップＥ８）。ユーザは、テンキー６から終了コマンドを入力し（ステップＥ９）、これにより設定モードが終了する（ステップＥ１０）。制御部９は、ＵＩＤと登録番号とを対応づけたデータを記憶部８から削除する。
【００４６】
全件削除モードにおける処理が終了した後に、リーダ２が通常モードで動作する場合には、削除された登録番号のＲＦＩＤカード１をユーザがアンテナコイル１０にかざしても、登録されている個人識別情報は無いため、照合ＮＧとなり、リーダ２は電気錠４の解錠を行わない。この場合にも、セキュリティが保たれる。
【００４７】
また、リーダ２は、ＵＩＤなどの登録データを吸上げないしは収集するようにもできる。この登録データの吸上げの例について述べる。
【００４８】
図９は本発明の一実施形態に係るリーダ２の登録データ吸上げモード（登録データ収集モード）での処理を説明するためのフローチャートである。モード切替部２０が登録データ吸上げモードであると判定した場合には、表示器７はモード表示を行う（ステップＦ１）。ユーザはリーダ２に外部機器を接続して（ステップＦ２）、テンキー６のエンタキーを押下する（ステップＦ３）。制御部９はリーダ２に外部機器が接続されているかどうかを判定し（ステップＦ４）、外部機器の接続がないと判定した場合には、「無」と付されたルートを通り、表示器７はエラー表示を行う（ステップＦ５）。ステップＦ４において、外部機器のリーダ２への接続があると判定された場合には、「有」と付されたルートを通り、制御部９は登録番号やＵＩＤなどのデータを外部機器へ送信する（ステップＦ６）。制御部９は、データの送信が完了したかどうかを判定し（ステップＦ７）、送信が完了したと判定した場合にはＮＯルートを通り、表示器７はエラー表示を行う（ステップＦ８）。ステップＦ７において、制御部９が送信完了と判定した場合にはＹＥＳルートを通り、表示器７は送信完了を表示する（ステップＦ９）。ユーザはテンキー６から終了コマンドを入力し（ステップＦ１０）、これにより設定モードが終了する（ステップＦ１１）。
【００４９】
従って、スタンドアロン型の使用状態において、ユーザはリーダ２内部の登録データを収集することができる。
【００５０】
図１０は本発明の一実施形態に係るリーダ２のパスワード変更モードでの処理を説明するためのフローチャートである。モード切替部２０がパスワード変更モードであると判定した場合には、表示器７はモード表示を行う（ステップＧ１）。ユーザがテンキー６から新しいパスワードを入力すると（ステップＧ２）、制御部９は入力されたパスワードが正常であるかどうかを判定する（ステップＧ３）。制御部９は入力されたパスワードが正しくないと判定した場合にはＮＯルートを通り、表示器７はエラー表示を行う（ステップＧ４）。ステップＧ３において、入力されたパスワードが正常であると制御部９が判定した場合には、ＹＥＳルートを通り、制御部９はパスワードを変更し（ステップＧ５）、表示器７は変更処理が完了したことを表示する（ステップＧ６）。ユーザがこの表示についてテンキー６のエンタキーを押下すると（ステップＧ７）、表示器７は変更処理の完了の表示を消灯する（ステップＧ８）。ユーザは、テンキー６から終了コマンドを入力し（ステップＧ９）、これにより設定モードが終了する（ステップＧ１０）。リーダ２に対する操作用の各種のパスワードをリーダ２は記憶することもでき、複数種類のパスワードをリーダ２が記憶した場合には制御部９はそれらのパスワードを個別に変更可能である。
【００５１】
このように、スタンドアロン型でリーダ２が使用される場合の設定モードでは、ＲＦＩＤカード１の製造時にカードに搭載されたメモリに書き込まれるＵＩＤが使用されるため、ＲＦＩＤカード１とリーダ２とにそれぞれ、事前に識別用のデータを書き込む操作が不要となり、容易に入退室管理を行える。
【００５２】
また、リーダ２がスタンドアロン型で上記の通常モード及び設定モードで使用されることによって、予めＲＦＩＤカード１ヘのデータ書き込みと、上位装置をリーダ２に接続した上でのリーダ２内のデータ登録とが不要となる。このようにして、予めＲＦＩＤカード１のユーザエリア及び、リーダ２内に個人識別情報を書き込まなくても、ＲＦＩＤカードのＵＩＤを個人識別情報として機能させることができ、このＵＩＤの照合がＯＫであると判定されると検定が合格し、ユーザは入室を許可される。リーダ２は、上位装置や外部機器等を使用せずに、ＲＦＩＤカード１のＵＩＤを読み取ることによってリーダ２内にＵＩＤの登録ができるともいえる。
【００５３】
更に、本実施形態に係るリーダ２によれば、容易に上位装置を接続できない場合にも、会社の共通コード等を必要としないため、カード紛失にも対応可能で、セキュリティを確保できる。
【００５４】
（３）リーダ２がオンライン型で使用される状態
管理者は、リーダ２の外部機器接続部２４に、ネットワークを介して上位装置を接続する。ＲＦＩＤカード１には、事前に個人識別情報が書き込まれている。
【００５５】
リーダ２を設定モードにする場合には、ユーザが上位装置を用いてパスワードをリーダ２に入力し、制御部９は、設定モードでのコマンド入力を受け付けるかどうかをリーダ２の内部又は外部に設けられたスイッチの設定内容によって判定する。制御部９がコマンド入力を受け付けないと判定した場合には、上位装置からのパスワードを無視する。制御部９がコマンド入力を受け付けると判定した場合には、上位装置からのパスワードがパスワード記憶部１５に記憶されたパスワードと一致しているかどうかを判定する。パスワードが一致した場合には、モード切替部２０はリーダ２の状態を設定モードに移行させる。この設定モードでは、モード切替部２０は、登録モード、個別削除モード、全件削除モード、パスワード変更モード、又は他のモードのいずれかであるかを判定し、これらの登録モードなど処理を行う。登録データを収集するためには、上位装置がリーダ２の登録データを収集する。
【００５６】
また、通常モードでは、リーダ２内に登録されたデータとリーダ２が読み取ったＲＦＩＤカード１のデータとをリーダ２が照合する。リーダ２がオンライン型で使用される場合には、リーダ２における検定のデータが上位装置によって書き替えられるようにしてもよい。
【００５７】
これにより、スタンドアロン型でリーダ２を使う態様と、ネットワークに接続された上位装置を用いて照合管理する態様とを切り替えて入退室管理システムを運用することができる。従来の入退室管理システムは、リーダ内へのデータの登録の際に、リーダに管理ホストを常時接続する必要があったが、本発明の無線媒体処理装置によれば、リーダ２内へのＵＩＤなどのデータ登録のための管理ホスト（図１の左側に表示したもの）をリーダ２に常時接続する必要がなくなり、外部装置や上位装置の接続に要する手間を大幅に軽減することができる。
【００５８】
（４）変形例
本実施形態に係るリーダは、ＲＦＩＤカード１の無線規格と異なる磁気カードを扱えるように構成することもできる。例えば磁気カードの処理装置が設けられた場合の本発明の無線媒体処理装置の模式的な正面図を図１１に示す。無線媒体処理装置であるリーダ２６は、磁気カードリーダ２７を有し、この磁気カードリーダ２７が磁気カードに記憶されたデータを読み取ると、リーダ２６が磁気カードに保持された情報とＲＦＩＤカード１に保持された情報との論理積をとる。これにより、ＲＦＩＤカード１の情報以外の情報を検定に用いることができるようになる。また、入退室管理システムは、ＲＦＩＤカード１と、社員証等の磁気カードとの両方を用いてユーザの部屋やフロアへの入退室を管理するため、セキュリティを高くすることができる。
【００５９】
（５）その他
本実施形態に係る入退室管理システムでは、収集されたＵＩＤ等の登録情報は、ｅｘｃｅｌ（商品名）などで使用できるＣＳＶ形式のファイルとしてリーダ２内の記憶手段に記憶させておき、外部装置の接続によってこの記憶手段から記憶したファイルを読み出すようにすることもできる。
【００６０】
本発明は上記実施形態そのままに限定されるものではなく、実施段階ではその要旨を逸脱しない範囲で構成要素を変形して具体化できる。上記の実施形態では、ＲＦＩＤカード１には個体識別情報としてＵＩＤが記憶されていたが、本発明の無線媒体処理装置では、使用される周波数や規格に応じて様々の種類の個体識別情報をＲＦＩＤカード１に記憶させることもできる。
【００６１】
例えば、ＦｅｌｉＣａ（登録商標）のＩＤｍも固体識別情報であり、ＵＩＤとして同様に使用できる。
【図面の簡単な説明】
【００６２】
【図１】本発明の一実施形態に係る入退室管理システムの一例を示す図である。
【図２】本発明の一実施形態に係る無線媒体処理装置の正面図である。
【図３】本発明の一実施形態に係る無線媒体処理装置の機能ブロック図である。
【図４】本発明の一実施形態に係る無線媒体処理装置のデータ照合方法を説明するためのフローチャートである。
【図５】本発明の一実施形態に係る無線媒体処理装置を設定モードで動作させる操作を説明するためのフローチャートである。
【図６】本発明の一実施形態に係る無線媒体処理装置の登録モードでの処理を説明するためのフローチャートである。
【図７】本発明の一実施形態に係る無線媒体処理装置の個別削除モードでの処理を説明するためのフローチャートである。
【図８】本発明の一実施形態に係る無線媒体処理装置の全件削除モードでの処理を説明するためのフローチャートである。
【図９】本発明の一実施形態に係る無線媒体処理装置の登録データ吸上げモードでの処理を説明するためのフローチャートである。
【図１０】本発明の一実施形態に係る無線媒体処理装置のパスワード変更モードでの処理を説明するためのフローチャートである。
【図１１】本発明の一実施形態に係る他の無線媒体処理装置の正面図である。
【図１２】従来の入退室管理システムの一例を示す図である。
【符号の説明】
【００６３】
１…ＲＦＩＤカード（無線媒体）、２，２６…リーダ（無線媒体処理装置）、３…扉、４…電気錠、５…カード情報読取り部、６…テンキー（入力部）、７…表示器、８…記憶部、９…制御部、１０…アンテナコイル、１１…ＲＦ信号送受信部（受信部）、１２…パネル部、１３…データ記憶部（記憶部）、１４…コマンド記憶部、１５…パスワード記憶部（パスワード情報記憶部）、１６…復調・復号部（受信部）、１７…変調・符号化部、１８…データ照合部、１９…表示制御部、２０…モード切替部（動作モード切替え部）、２１…スイッチ（スイッチ部）、２２…使用状態判定部、２３…パスワード判定部（コマンド入力可否判定部）、２４…外部機器接続部、２５…送信／受信処理部、２７…磁気カードリーダ。
【図２】
2008217454.tif 000003
【図３】
2008217454.tif 000004
【図４】
2008217454.tif 000005
【図５】
2008217454.tif 000006
【図６】
2008217454.tif 000007
【図７】
2008217454.tif 000008
【図８】
2008217454.tif 000009
【図９】
2008217454.tif 000010
【図１０】
2008217454.tif 000011
【図１１】
2008217454.tif 000012
【図１】
2008217454.tif 000013
【図１２】
2008217454.tif 000014